(57)【要約】【課題】  水平方向の３６０度全体にわたって外界の景色の展望を可能とする、新規な展望エレベータのかご内操作盤を提供する。【解決手段】  本発明の展望エレベータのかご内操作盤１０は、かご停止階登録やドア開閉のためのスイッチ類とこれらのスイッチ類のための制御配線とを透明電極および透明導電性フィルムによって透明なシート状に形成し、乗りかごの側壁に貫設した展望窓の透明ガラス板の表面に装着したものである。かご内操作盤自体が透明であり、展望窓の透明ガラス板の表面に装着するものであるから、この操作盤に向かい合って搭乗した乗客の視界を妨げることがない。【選択図】  図１
2006193229.tif 000002
【特許請求の範囲】
【請求項１】
展望エレベータの乗りかご内に設ける操作盤であって、
かご停止階登録やドア開閉のためのスイッチ類およびこれらのスイッチ類のための制御配線を透光性を有するシート状スイッチとして形成し、
前記乗りかごの側壁に貫設した展望窓の透明ガラス板の表面に装着したことを特徴とする展望エレベータのかご内操作盤。
【請求項２】
展望エレベータの乗りかご内に設ける操作盤であって、
かご停止階登録やドア開閉のためのスイッチ類を透光性を有するシート状スイッチとして形成し、
透明ガラス板の表面に透明電極によって制御回路を形成し、
前記透明ガラスの表面に前記シート状スイッチを貼着して前記制御回路とともにかご内操作盤を構成し、
前記乗りかごの側壁に貫設した展望用の窓に前記透明ガラス板を装着したことを特徴とする展望エレベータのかご内操作盤。
【請求項３】
前記シート状スイッチの表側に、透光性を有する板状に形成されるとともに前記スイッチ類を操作するための孔が貫設された、前記シート状スイッチを保護するための保護部材が装着されていることを特徴とする請求項１または２に記載した展望エレベータのかご内操作盤。
【請求項４】
前記保護部材に貫設されている孔は、その断面形状が前記透明導電性フィルムから離れる側に向かって先広がりに形成されていることを特徴とする請求項３に記載した展望エレベータのかご内操作盤。
【請求項５】
前記保護部材は、前記透明ガラス板に対し緩衝部材を介して着脱自在に装着されていることを特徴とする請求項３または４に記載した展望エレベータのかご内操作盤。
【請求項６】
運行方向や階床位置を表示する表示手段が、前記シート状スイッチに実装されていることを特徴とする請求項１乃至５のいずれかに記載した展望エレベータのかご内操作盤。
【発明の詳細な説明】
【技術分野】
【０００１】
本発明は、乗りかごの内部から外界の景色を展望できる展望エレベータのかご内操作盤に関し、より詳しくは、かご内操作盤およびかご内操作盤を取り付ける部分が透光性を有するようにし、より良好な開放感あるいは展望が得られるように改良する技術に関する。
【背景技術】
【０００２】
従来、建物の外壁面に沿って昇降する展望エレベータが用いられているが、この種の展望エレベータにおいては乗りかごの側壁に展望窓が設けられ、乗りかご内から外界の景色を展望できるようになっている（例えば、下記特許文献１を参照）。
すなわち、図１２に示したように、乗りかご１の乗降ドア２Ｌ，２Ｒと対向する奥側の壁面および左右の壁面にそれぞれ展望窓３，４Ｌ，４Ｒが設けられ、乗りかご１内の乗客が外界の景色を展望できるようになっている。
【０００３】
ところで、建物の外壁に沿って昇降する展望エレベータにおいては、その建物の外壁から見える範囲の景色を展望できれば良いから、図１２に示したように、乗りかご１の奥側の展望窓３および左右の展望窓４Ｌ，４Ｒを設ければ充分である。
【０００４】
しかしながら、例えば東京タワーのような鉄塔に設けられる展望エレベータにおいては、鉄塔の骨組の隙間を通してではあるが、水平方向の３６０度全体にわたって外界の景色を展望できることが好ましい。
そこで、図１２に示したように、乗降ドア２Ｌ，２Ｒにも展望窓５Ｌ，５Ｒを設けるとともに、左右の戸袋６Ｌ，６Ｒのうちかご内操作盤７を設けない側にも展望窓８を設ける工夫がなされている。
【０００５】
【特許文献１】特開平７−１７２７３８号公報
【発明の開示】
【発明が解決しようとする課題】
【０００６】
ところが、図１２に示した従来の展望エレベータにおいては、左右の戸袋６Ｌ，６Ｒのうち、かご内操作盤７を設けた戸袋６Ｒが鋼板によって構成されていて透明ではない。
また、かご内操作盤７も金属板にスイッチや表示器等を取り付けた構造であり、やはり透明ではない。
【０００７】
すなわち、従来の展望エレベータにおいては、かご内操作盤７そのものが不透明であるばかりでなく、乗りかご内の側壁のうちかご内操作盤７を取り付ける部分もまた不透明である。
これにより、かご内操作盤７に向き合うように搭乗した乗客は、かご内操作盤７や戸袋６Ｒによってその視界が妨げられ、外界の景色の展望を楽しむことができなかった。
また、不透明なかご内操作盤７や戸袋６Ｒにより、乗りかご１内の開放感が損なわれていた。
【０００８】
そこで本発明の目的は、上述した従来技術が有する問題点を解消し、より良好な開放感が得られるとともに、水平方向の３６０度全体にわたる外界の景色の展望も可能な、新規な展望エレベータのかご内操作盤を提供することにある。
【課題を解決するための手段】
【０００９】
上記の課題を解決するための請求項１に記載した手段は、展望エレベータの乗りかご内に設ける操作盤であって、かご停止階登録やドア開閉のためのスイッチ類およびこれらのスイッチ類のための制御配線を透光性を有するシート状スイッチとして形成し、前記乗りかごの側壁に貫設した展望窓の透明ガラス板の表面に装着したことを特徴とする。
【００１０】
すなわち、請求項１に記載した展望エレベータのかご内操作盤は、そのシート状スイッチが透光性を有し、かつ展望窓の透明ガラス板の表面に装着されるから、乗りかご内の開放感をより向上させることができる。
また、シート状スイッチを透明に構成すれば、この操作盤に向き合って搭乗した乗客の視界を妨げることがなく、水平方向の３６０度全体にわたって外界の景色の展望が可能な展望エレベータを実現することができる。
また、このかご内操作盤は、乗りかご内のどの展望窓にも装着することができるから、乗りかご内の乗客の利便性を向上させることができる。
また、このかご内操作盤が故障したり破損したりした場合には、このかご内操作盤を透明ガラス板の表面から容易に取り外して新しいものに交換することができる。
【００１１】
また、上記の課題を解決するための請求項２に記載した手段は、展望エレベータの乗りかご内に設ける操作盤であって、かご停止階登録やドア開閉のためのスイッチ類を透光性を有するシート状スイッチとして形成し、透明ガラス板の表面に透明電極によって制御回路を形成し、前記透明ガラスの表面に前記シート状スイッチを貼着して前記制御回路とともにかご内操作盤を構成し、前記乗りかごの側壁に貫設した展望用の窓に前記透明ガラス板を装着したことを特徴とする。
【００１２】
すなわち、請求項２に記載した展望エレベータのかご内操作盤は、展望窓の透明ガラス板の表面に形成した制御回路と透光性を有するシート状スイッチとを組み合わせたものであるから、乗りかご内の開放感をより向上させることができる。
また、シート状スイッチを透明に構成すれば、この操作盤に向き合って搭乗した乗客の視界を妨げることがなく、水平方向の３６０度全体にわたって外界の景色の展望が可能な展望エレベータを実現することができる。
また、このかご内操作盤は、展望窓に装着する透明ガラス板として一体に製造することができるから、乗りかごを組み立てる作業を容易に行うことができる。
【００１３】
また、請求項３に記載したように、前記シート状スイッチの表側に、透光性を有する板状に形成されるとともに前記スイッチ類を操作するための孔が貫設された、前記シート状スイッチを保護するための保護部材を装着すれば、乗りかご内の乗客の手荷物等が透明導電性フィルムに当接してスイッチや制御回路が損傷することを防止できる。
このとき、保護部材にスイッチ操作用の孔を設けることにより、乗客によるかご停止階登録やドア開閉等のスイッチ操作を妨げることがない。
なお、保護部材は、透明ガラス板やポリカーボーネート、アクリル等の透明あるいは透光性を有する樹脂板を用いることができる。
【００１４】
また、請求項４に記載したように、前記保護部材に貫設されている孔を、その断面形状が前記透明導電性フィルムから離れる側に向かって先広がりに形成することにより、スイッチ類の操作性をより向上させることができる。
【００１５】
また、請求項５に記載したように、前記保護部材を、前記透明ガラス板に対し緩衝部材を介して着脱自在に装着すれば、保護部材や透明シート状のスイッチの交換を容易に行うことができる。
さらに、緩衝部材を介して保護部材を展望窓の透明ガラス板に装着すれば、乗りかご内の乗客の身体や手荷物等が保護部材に強く当たった場合でも、展望窓の透明ガラス板に異常な外力が作用することを防止できる。
【００１６】
また、請求項６に記載したように、乗りかごの運行方向や階床位置を表示する表示手段を透明電極および透明導電性フィルムと一体に実装することにより、他に表示装置を設ける必要がなくなり、かつかご停止階の登録を容易に確認することができる。
【発明の効果】
【００１７】
すなわち、本発明によれば、より良好な開放感が得られるとともに、水平方向の３６０度全体にわたる外界の景色の展望も可能な、新規な展望エレベータのかご内操作盤を提供することができる。
【発明を実施するための最良の形態】
【００１８】
以下、図１乃至図１１を参照し、本発明に係る展望エレベータのかご内操作盤の各実施形態について詳細に説明する。
なお、以下の説明においては、同一の部分には同一の符号を用いて重複した説明を省略する。
【００１９】
第１実施形態
まず最初に図１乃至図３を参照し、第１実施形態の展望エレベータのかご内操作盤について詳細に説明する。
【００２０】
図１に示したように、乗りかご１内の右側の戸袋６Ｒには透明なかご内操作盤１０が装着され、この部分からの外界の景色の展望が可能となっている。
【００２１】
かご内操作盤１０は、図２に示したように、右側の戸袋６Ｒに設けた展望窓の透明ガラス板１１の表面に、透明電極および透明導電性フィルムによってスイッチ類および制御回路を形成した透明なシート部材１２を、透明な接着剤を用いて貼着したものである。
【００２２】
シート部材１２は、例えばＰＥＴ（ポリエチレンテレフタレート）等の透明フィルムの表面にＩＴＯ（酸化インジウム錫）等の合金をスパッタリングして透明電極を形成したもの等を組み合わせることにより、メンブレンスイッチとして製造することができる。
なお、このシート部材１２には、ドア開閉用操作スイッチ１３ａ，１３ｂ、複数のかご停止階登録スイッチ１４、および非常用スイッチ１５等が設けられている。
また、これらの操作スイッチ類のための制御回路１６は、シート部材１２の上縁から上方に延設されて細長く延びる部分１２ａに沿って延び、その先端に設けられているコネクタ１７を介して乗りかご１側に設けられている図示されない制御配線に接続される。
【００２３】
また、図３に示したように、本第１実施形態のかご内操作盤１０は、その全周が緩衝ゴム材１８を介して乗りかご１の戸袋６Ｒに支持されている。
これにより、各スイッチ類を操作するためにかご内操作盤１０を指等で押したときに、透明ガラス板１１に異常な外力が作用することを防止できる。
【００２４】
なお、透明ガラス板１１の表面にＩＴＯ等によって透明電極および制御回路を予め形成しておくとともに、ＰＥＴ等の透明フィルムの表面に透明電極によるスイッチ類を形成し、両者を組み合わせることによってかご内操作盤を構成することもできる。
【００２５】
第２実施形態
次に図４乃至図７を参照し、第２実施形態の展望エレベータのかご内操作盤について詳細に説明する。
【００２６】
図４および図５に示した第２実施形態のかご内操作盤２０は、上述した第１実施形態のかご内操作盤１０に対し、ポリカーボネート等の透明樹脂板である保護部材２１を追加したものである。
【００２７】
保護部材２１は、透明ガラス板１１と同じ大きさであり、透明ガラス板１１とシート部材１２を挟持した状態で、その全周が緩衝ゴム材１８を介して乗りかご１の戸袋６Ｒに支持されている。
このとき、保護部材２１には、ドア開閉用操作スイッチ１３ａ，１３ｂに対応する円形の貫通孔２２ａ，２２ｂ、複数のかご停止階登録スイッチ１４に対応する円形の貫通孔２３、および非常用スイッチ１５に対応する円形の貫通孔２４がそれぞれ貫設されているので、各スイッチの操作を妨げることがない。
なお、各貫通孔２２〜２４の断面形状は矩形となっている。
【００２８】
すなわち、本第２実施形態のかご内操作盤２０は、シート部材１２を覆うように透明な保護部材２１を装着したものであるから、乗りかご１内の乗客の身体や手荷物等がこの透明な保護部材２１に当接しても、各スイッチや制御回路が損傷することはない。
また、透明ガラス板１１と共にその全周が緩衝ゴム材１８を介して乗りかご１の戸袋６Ｒに支持されているから、各スイッチ類を操作するためにかご内操作盤２０を指等で押したときに、透明ガラス板１１に異常な外力が作用することを防止できる。
【００２９】
変形例
次に図６および図７を参照し、第２実施形態の展望エレベータのかご内操作盤の変形例について詳細に説明する。
【００３０】
図６および図７に示した変形例のかご内操作盤３０は、上述した第２実施形態のかご内操作盤２０に対し、スイッチ操作のために透明保護部材に貫設されている貫通孔の断面形状が異なっている。
【００３１】
すなわち、シート部材１２を覆うように装着されている透明な保護部材３１にスイッチ操作のために円形に貫設されている各貫通孔３２〜３４は、その断面形状がシート部材１２から離れる方向に向かって先広がりな台形となっている。
これにより、各スイッチを指先で押して操作するときに、各貫通孔３２〜３４の表面側の周縁に干渉することがないから、各スイッチの操作性をより向上させることができる。
【００３２】
第３実施形態
次に図８乃至図１０を参照し、第３実施形態の展望エレベータのかご内操作盤について詳細に説明する。
【００３３】
図８乃至図１０に示した第３実施形態のかご内操作盤４０は、上述した第２実施形態のかご内操作盤２０に対し、透明な保護部材の装着方法を変更したものである。
【００３４】
すなわち、第３実施形態のかご内操作盤４０における保護部材４１はポリカーボネート等の透明樹脂板から製造したものであるが、上述した第２実施形態の保護部材２１に対し、その全体形状が一回り小さくなっている。
これにより、保護部材４１は、図９に示したように、もはやその全周が緩衝ゴム材１８によって乗りかご１の戸袋６Ｒに支持されていない。
【００３５】
一方、図８に示したように、保護部材４１の四隅には貫通孔４２が貫設され、シート部材１２の四隅には貫通孔４３が貫設され、透明ガラス板１１の四隅には貫通孔４４が貫設されている。
また、図９および図１０に示したように、透明ガラス板１１の四隅の貫通孔４４には、その裏面側から緩衝ゴムチューブ４５を介して金属製の袋ナット４６が装着されている。
そして、保護部材４１の四隅の貫通孔４２およびシート部材１２の四隅の貫通孔４３には、金属製のボルト４７が緩衝ゴムワッシャ４８と共に挿通され、その先端が袋ナット４６に螺合している。
【００３６】
すなわち、本第３実施形態のかご内操作盤４０においては、展望窓の透明ガラス板１１に対して保護部材４１を容易に着脱することができる。
これにより、乗りかご１内の乗客の身体や手荷物等が保護部材４１に強く当たるなどしてその表面に傷が付いた場合には、透明ガラス板１１やシート部材１２を取り外すことなく、保護部材４１を容易に交換することができる。
また、緩衝ゴムチューブ４５および緩衝ゴムワッシャ４８を介して、袋ナット４６およびボルト４７を装着しているので、乗りかご１内の乗客の身体や手荷物等が保護部材４１に強く当たった場合でも、展望窓の透明ガラス板１１の異常な外力が作用することを防止できる。
【００３７】
第４実施形態
次に図１１を参照し、第４実施形態の展望エレベータのかご内操作盤について詳細に説明する。
【００３８】
図１１に示した第４実施形態のかご内操作盤５０は、上述した第１実施形態のかご内操作盤１０に対し、各操作スイッチの周囲に環状の発光手段を設けるとともに、乗りかごの運行方向や階床位置を表示するための表示手段を追加したものである。
【００３９】
すなわち、本第４実施形態のかご内操作盤５０における透明なシート部材５１には、ドア開閉用操作スイッチ５２ａ，５２ｂ、複数のかご停止階登録スイッチ５３、および非常用スイッチ５４等が設けられており、かつその周囲に環状の発光体が設けられている。
これにより、ドア開閉用操作スイッチ５２ａ，５２ｂを操作している間に、その周囲の環状発光体が点灯するので、そのスイッチの操作性を向上させることができる。
また、かご停止階登録スイッチ５３が操作されたときには、行き先の停止階に到着するまでそのかご停止階登録スイッチ５３の周囲の環状発光体が点灯するので、どの停止階に向かっているのかを容易に把握することができる。
さらに、非常用スイッチ５４が操作されたときには、コントロールセンターからの応答があるまでその周囲の環状発光体が点灯するので、コントロールセンターに通報されていることが明確に把握でき、乗りかご１内の乗客の安心感が増すことができる。
【００４０】
加えて、表示手段５５によって乗りかご１の運行方向が表示されるとともに、表示手段５６によって現時点の階床位置を表示するので、乗りかご１の乗客がエレベータの運行状況を的確に把握することができる。
【００４１】
なお、上述した発光手段や表示手段に有機ＥＬ、すなわちジアミン類などの有機物を発光体として用いるディスプレイを用いると、５〜１０Ｖの直流電圧で高い輝度が得られるため、透明なシート部材５１においても極めて良好な視認性を得ることができる。
また、透明電極や透明導電性フィルムから成るシート部材５１に、一体に実装することができる。
なお、これらの発光手段や表示手段は、各スイッチのための制御回路５７およびコネクタ５８を介して、乗りかご１側の電気配線に接続される。
【００４２】
以上、本発明に係る展望エレベータのかご内操作盤の各実施形態ついて詳しく説明したが、本発明は上述した実施形態によって限定されるものではなく、種々の変更が可能であることは言うまでもない。
例えば、上述した各実施形態においては、いずれもシート部材を「透明」に形成して水平方向の３６０度全体にわたる外界の景色の展望を可能としているが、シート部材を形成する素材に応じて「半透明」に形成しても、乗りかご内の開放感をより向上させることができることは言うまでもない。
また、シート部材を透明ガラス板と同じ大きさに形成しているが、シート部材をより小さく形成できることは言うまでもない。
【図面の簡単な説明】
【００４３】
【図１】第１実施形態のかご内操作盤を装着した乗りかごを示す正面図。
【図２】第１実施形態のかご内操作盤を示す分解斜視図。
【図３】図２に示したかご内操作盤を装着した状態を示す断面図。
【図４】第２実施形態のかご内操作盤を示す分解斜視図。
【図５】図４に示したかご内操作盤を装着した状態を示す断面図。
【図６】第２実施形態の変形例のかご内操作盤を示す分解斜視図。
【図７】図６に示したかご内操作盤を装着した状態を示す断面図。
【図８】第３実施形態のかご内操作盤を示す分解斜視図。
【図９】図８に示したかご内操作盤を装着した状態を示す断面図。
【図１０】図９の要部を拡大して示す断面図。
【図１１】第４実施形態のかご内操作盤を示す分解斜視図。
【図１２】従来の展望エレベータのかご内操作盤を示す乗りかご内の正面図。
【符号の説明】
【００４４】
１  乗りかご
２  乗降ドア
３，４，５  展望窓
６  戸袋
７  従来のかご内操作盤
８  展望窓
１０  第１実施形態のかご内操作盤
１１  透明ガラス板
１２  シート部材
１３  ドア開閉用操作スイッチ
１４  停止階登録スイッチ
１５  非常用スイッチ
１６  制御回路
１７  コネクタ
１８  緩衝ゴム材
２０  第２実施形態のかご内操作盤
２１  透明保護部材
２２，２３，２４  貫通孔
３０  第２実施形態の変形例のかご内操作盤
３１  保護部材
３２，３３，３４  貫通孔
４０  第３実施形態のかご内操作盤
４１  保護部材
４２，４３，４４  貫通孔
４５  緩衝ゴムチューブ
４６  袋ナット
４７  ボルト
４８  緩衝ゴムワッシャ
５１  シート部材
５２  ドア開閉用操作スイッチ
５３  停止階登録スイッチ
５４  非常用スイッチ
５５，５６  表示手段
５７  制御回路
５８  コネクタ
【図１】
2006193229.tif 000003
【図２】
2006193229.tif 000004
【図３】
2006193229.tif 000005
【図４】
2006193229.tif 000006
【図５】
2006193229.tif 000007
【図６】
2006193229.tif 000008
【図７】
2006193229.tif 000009
【図８】
2006193229.tif 000010
【図９】
2006193229.tif 000011
【図１０】
2006193229.tif 000012
【図１１】
2006193229.tif 000013
【図１２】
2006193229.tif 000014